(57)【要約】【課題】通信回線を介して多様な情報を効率よく提供できるようにする。【解決手段】ネットワーク２を介してユーザ側端末装置１０と管理サーバ３とが接続された構成を有するプロモーションシステム１００において、ユーザ側端末装置１０は、撮影部１６によってアピール用音声付き動画像を撮影し、撮影した動画像データを管理サーバ３へ送信し、管理サーバ３は、送信された動画像データを、参照側端末装置７等からアクセス可能な状態でプロモーション情報ＤＢに格納する。【選択図】図１
2008059563.tif 000002
【特許請求の範囲】
【請求項１】
カプセルスタジオと、
カプセルスタジオの内部に配置され、通信回線を介して外部のサーバ装置と接続された端末装置とを備え、
前記端末装置は、アピール用音声付きのユーザの表情変化を含む動画像を撮影する撮影部と、前記ユーザの個人情報を入力する入力部と、この入力部により入力された前記個人情報、及び前記撮影部により撮影された動画像データを対応づけて、通信回線を介して接続された他の装置からアクセス可能な状態で前記サーバ装置に格納させるべく、前記サーバ装置へ送信する制御部とを備えたこと、
を特徴とする情報提供装置。
【請求項２】
カプセルスタジオと、カプセルスタジオの内部に配置された端末装置とを備えた情報提供装置と、
端末装置に通信回線を介して接続されたサーバ装置とを備え、
前記情報提供装置が備える前記端末装置は、アピール用音声付きのユーザの表情変化を含む動画像を撮影する撮影部と、前記ユーザの個人情報を入力する入力部と、この入力部により入力された前記個人情報、及び前記撮影部により撮影された動画像データを前記サーバ装置へ送信する制御部とを備え、
前記サーバ装置は、前記端末装置から送信された個人情報、及び動画像データを対応づけて、通信回線を介して接続された他の装置からアクセス可能な状態で格納する動画像格納部を備えたこと、
を特徴とする情報提供システム。
【請求項３】
前記端末装置は、質問情報を記憶する記憶部と、前記撮影部によりアピール用音声付きの動画像を撮影する際に、前記記憶部に記憶された質問情報に基づいて質問を出力する出力部と、を備えたこと、
を特徴とする請求項２記載の情報提供システム。
【請求項４】
前記他の装置が、募集情報を送信する機能を有する主催者端末装置であり、
前記サーバ装置は、前記主催者端末装置から送信される募集情報を、前記端末装置から閲覧可能な状態で格納する募集情報格納部をさらに備え、
前記端末装置は、前記募集情報格納部に格納された募集情報を参照して、前記募集情報に対する応募要求を送信し、
前記サーバ装置は、前記端末装置から応募要求が送信された場合に、前記端末装置を操作するユーザに対応づけて前記動画像格納部に格納した動画像データを、前記主催者端末装置から閲覧可能とすること、
を特徴とする請求項２記載の情報提供システム。
【請求項５】
前記サーバ装置は、動画像格納部に格納した動画像データにアクセスするためのアクセス用情報を生成して前記端末装置に送信し、
前記端末装置は、前記サーバ装置から送信された前記アクセス用情報を含む情報を印刷する印刷部を備えたこと、
を特徴とする請求項２記載の情報提供システム。
【請求項６】
前記撮影部は動画像の撮影に加えて静止画像の撮影が可能であり、
前記印刷部は、前記撮影部により撮影された静止画像と、前記アクセス用情報を含む情報とを印刷すること、
を特徴とする請求項５記載の情報提供システム。
【請求項７】
カプセルスタジオと、カプセルスタジオの内部に配置された端末装置とを備えた情報提供装置と、端末装置に通信回線を介して接続されたサーバ装置とを用い、
前記情報提供装置が備える前記端末装置により、アピール用音声付きのユーザの表情変化を含む動画像を撮影し、前記ユーザの個人情報が入力された場合に、入力された前記個人情報と撮影した動画像データとを前記サーバ装置へ送信し、
前記サーバ装置により、前記端末装置から送信された個人情報、及び動画像データを対応づけて、通信回線を介して接続された他の装置からアクセス可能な状態で格納すること、
を特徴とする情報提供方法。
【発明の詳細な説明】
【技術分野】
【０００１】
本発明は、通信回線を介して情報を提供する情報提供装置、この情報提供装置を備えた情報提供システム、および、情報提供方法に関する。
【背景技術】
【０００２】
近年、通信回線を介したコミュニケーションが広く普及し、従来は書面で取り交わされていた情報が電子的に送受信されるようになった。一例として、求人を行う企業と求職者との間で情報を仲介し、履歴書や求人票といった書面に代用できる情報を送受信するシステムが提案されている（例えば、特許文献１参照。）。
【特許文献１】特開２００３−３０３１４号公報
【発明の開示】
【発明が解決しようとする課題】
【０００３】
ところが、情報を取り交わす方法が電子的な方法へと変化しても、取り交わされる情報は殆ど変容していない。例えば上記従来のシステムで、求人側の企業に提供される情報は、求職者の氏名、性別、希望職種など、通常の履歴書に記載されるような限られた情報であった。このため、電子化による格段の効率化が期待できない場合は、書面の履歴書の方が重用されていることが多かった。また、上記のように限られた情報を電子的に送受信することは容易であるが、それ以外の情報を効率よく提供する方法は無かった。【０００４】
本発明は、上述した事情に鑑み、通信回線を介して、多様な情報を効率よく提供できるようにすることを目的とする。
【課題を解決するための手段】
【０００５】
本発明の情報提供装置は、カプセルスタジオと、カプセルスタジオの内部に配置され、通信回線を介して外部のサーバ装置と接続された端末装置とを備え、前記端末装置は、アピール用音声付きのユーザの表情変化を含む動画像を撮影する撮影部と、前記ユーザの個人情報を入力する入力部と、この入力部により入力された前記個人情報、及び前記撮影部により撮影された動画像データを対応づけて、別の通信回線を介して接続された他の装置からアクセス可能な状態で前記サーバ装置に格納させるべく、前記サーバ装置へ送信する制御部とを備えたことを特徴とする。【０００６】
この場合、カプセルスタジオの内部に配置された端末装置を利用して、ユーザが、自身のアピール用音声付き動画像を撮影することにより、この動画像を第三者に公開することが可能となる。これにより、特殊な機材等を用いることなく、テキスト化できない形態の情報である動画像を、容易にかつ効果的に第三者へ提供できる。【０００７】
本発明の情報提供システムは、カプセルスタジオと、カプセルスタジオの内部に配置された端末装置とを備えた情報提供装置と、端末装置に通信回線を介して接続されたサーバ装置とを備え、前記情報提供装置が備える前記端末装置は、アピール用音声付きのユーザの表情変化を含む動画像を撮影する撮影部と、前記ユーザの個人情報を入力する入力部と、この入力部により入力された前記個人情報、及び前記撮影部により撮影された動画像データを前記サーバ装置へ送信する制御部とを備え、前記サーバ装置は、前記端末装置から送信された個人情報、及び動画像データを対応づけて、通信回線を介して接続された他の装置からアクセス可能な状態で格納する動画像格納部を備えたことを特徴とする。【０００８】
この場合、端末装置の撮影部により撮影されたアピール用音声付きの動画像がサーバ装置によって格納され、この動画像データは、通信回線を介して他の装置からアクセス可能である。このため、端末装置において撮影されたアピール用音声付き動画像を、第三者が他の装置（データ通信機能を備えた携帯型電話機やパーソナルコンピュータ等）を用いて視聴できる。これにより、ユーザは、端末装置において自身をアピール（プロモーション）する動画像を撮影するとともに、この動画像を公開することが可能となる。これにより、テキスト化できない形態の情報である動画像を、通信回線を介して、容易にかつ効果的に、第三者へ提供できる。加えて、ユーザは端末装置においてアピール用音声付き動画像を撮影するだけでよく、特殊な機材等を用いることなく手軽に実行できるという利点がある。【０００９】
ここで、好ましくは、前記端末装置は、質問情報を記憶する記憶部と、前記撮影部によりアピール用音声付きの動画像を撮影する際に、前記記憶部に記憶された質問情報に基づいて質問を出力する出力部とを備えたことを特徴とする。【００１０】
また好ましくは、前記他の装置が、募集情報を送信する機能を有する主催者端末装置であり、前記サーバ装置は、前記主催者端末装置から送信される募集情報を、前記端末装置から閲覧可能な状態で格納する募集情報格納部をさらに備え、前記端末装置は、前記募集情報格納部に格納された募集情報を参照して、前記募集情報に対する応募要求を送信し、前記サーバ装置は、前記端末装置から応募要求が送信された場合に、前記端末装置を操作するユーザに対応づけて前記動画像格納部に格納した動画像データを、前記主催者端末装置から閲覧可能とすることを特徴とする。【００１１】
この場合、ユーザが募集に応募することで、端末装置において撮影されたユーザのアピール用音声付き動画像を、募集を行った主催者が見ることができ、主催者は氏名等のテキスト化可能な情報だけでなく、応募したユーザ自身をプロモーションする動画像を見て、より的確で効果的な選考を行える。また、ユーザは、簡単な作業によって動画像を主催者に提供することが可能となり、より効果的に自身をプロモーションできる。【００１２】
さらに好ましくは、上記構成において、前記端末装置から応募要求が送信された場合に、前記サーバ装置が、前記主催者端末装置によって前記サーバ装置に格納された個人情報を閲覧可能とすることを特徴とする。【００１３】
この場合、募集を行った応募したユーザの個人情報を主催者端末で閲覧できるので、主催者が的確な選考を行った上で、応募したユーザに速やかに連絡することができる。【００１４】
また好ましくは、前記サーバ装置は、動画像格納部に格納した動画像データにアクセスするためのアクセス用情報を生成して前記端末装置に送信し、前記端末装置は、前記サーバ装置から送信された前記アクセス用情報を含む情報を印刷する印刷部を備えたことを特徴とする。【００１５】
この場合、サーバ装置に格納された動画像データにアクセスするためのアクセス用情報を含む情報がサーバ装置から端末装置に送信され、更には、このアクセス用情報を含む情報が印刷部により印刷される。これにより、公開されたアピール用音声付き動画像にアクセスするための情報等が印刷された印刷物を用いて、第三者が通信回線を介して簡単にアピール用音声付き動画像にアクセスできるようにし、効果的かつ効率のよい誘導を行える。従って、テキスト化できない形態の情報である動画像を、通信回線を介して、容易にかつ効果的に第三者へ提供できる。【００１６】
また好ましくは、前記撮影部は動画像の撮影に加えて静止画像の撮影が可能であり、前記印刷部は、前記撮影部により撮影された静止画像と、前記アクセス用情報を含む情報とを印刷することを特徴とする。【００１７】
この場合、通信回線を介して動画像にアクセスするためのアクセス用情報を含む情報と、静止画像とが印刷された印刷物を作成できるので、この印刷物を、例えば名刺や履歴書として第三者に手渡すことで、印刷物に記載された情報を提供するとともに、ユーザ自身のアピール用音声付き動画像への誘導を行うことができる。【００１８】
ここで、上記印刷物は、好ましくは、上記アクセス用情報を含む情報および上記静止画像とともに、ユーザの氏名、連絡先の住所や電話番号等が記載された名刺や、上記情報に加えて学歴・職歴・所有する資格等が印刷された履歴書等である。また、端末装置は、上記の名刺や履歴書のテンプレートを複数記憶し、この中からユーザが選択したテンプレートに上記の個人情報および静止画像を嵌め込むことによって、上記の名刺や履歴書を印刷するものであってもよい。【００１９】
また好ましくは、通信回線を介して前記サーバ装置に接続された閲覧用端末装置を備え、前記動画像格納部に格納された個人情報および動画像データを、前記閲覧用端末装置から閲覧可能とすることを特徴とする。【００２０】
さらに好ましくは、前記閲覧用端末装置の操作によって前記動画像格納部に格納された個人情報に基づいて所定条件に基づくユーザの検索を行い、検索されたユーザに対応づけて前記動画像格納部に格納された個人情報と動画像データとを、前記閲覧用端末装置から閲覧可能とすることを特徴とする。【００２１】
これらの場合、閲覧用端末装置からユーザの個人情報およびアピール用音声付き動画像を閲覧・視聴することができるので、例えば、求人採用を行う企業が、自社が求める条件に適合するユーザを見つけて、当該ユーザの個人情報に基づいて連絡を行い、スカウトすることができる。この場合、ユーザは、自分が応募を行わなくても求職活動を行うことができ、さらに、スカウトされた時点で一定の選考を経ていることから、採用に繋がらない無駄な応募や面接等の手間を省くことができる。これにより、従来の求人採用の過程と比較して、求人側の企業と求職側のユーザとの双方の負担を大幅に軽減できる。【００２２】
また、本発明の情報提供方法は、カプセルスタジオと、カプセルスタジオの内部に配置された端末装置とを備えた情報提供装置と、端末装置に通信回線を介して接続されたサーバ装置とを用い、前記情報提供装置が備える前記端末装置により、アピール用音声付きのユーザの表情変化を含む動画像を撮影し、前記ユーザの個人情報が入力された場合に、入力された前記個人情報と撮影した動画像データとを前記サーバ装置へ送信し、前記サーバ装置により、前記端末装置から送信された個人情報、及び動画像データを対応づけて、通信回線を介して接続された他の装置からアクセス可能な状態で格納することを特徴とする。【００２３】
この場合、端末装置で撮影されたアピール用音声付きの動画像が、サーバ装置によって、通信回線を介して他の装置からアクセス可能に格納され、第三者が他の装置（データ通信機能を備えた携帯型電話機やパーソナルコンピュータ等）を利用して、このアピール用音声付き動画像を視聴できる。これにより、ユーザは、カプセルスタジオにおいて端末装置を使用し、自身をアピール（プロモーション）する動画像を撮影して、この動画像を公開することが可能となる。これにより、テキスト化できない形態の情報である動画像を、通信回線を介して、容易にかつ効果的に、第三者へ提供できる。加えて、ユーザは端末装置においてアピール用音声付き動画像を撮影するだけでよく、特殊な機材等を用いることなく手軽に実行できるという利点がある。
【発明の効果】
【００２４】
本発明によれば、テキスト化できない形態の情報を、通信回線を介して、容易にかつ効果的に第三者へ提供できる。
【図面の簡単な説明】
【００２５】
【図１】実施形態に係るプロモーションシステムの構成を示す図である。
【図２】データベースに格納される情報を模式的に示す図であり、図２（Ａ）はユーザ情報ＤＢ（データベース）に格納される情報を示し、図２（Ｂ）はプロモーション情報ＤＢに格納される情報を示し、図２（Ｃ）は応募情報ＤＢに格納される情報を示す。
【図３】プロモーションシステムの動作を示すフローチャートである。
【図４】プロモーションシステムにより作成される書類の一例を示す図である。
【図５】プロモーションシステムにより作成される書類の一例を示す図である。
【図６】プロモーションシステムの動作を示すフローチャートである。
【図７】プロモーションシステムの動作を示すフローチャートである。
【符号の説明】
【００２６】
１  カプセルスタジオ
２  ネットワーク（通信回線）
３  管理サーバ（サーバ装置）
４  ユーザ情報ＤＢ
５  プロモーション情報ＤＢ（動画像格納部）
６  応募情報ＤＢ（募集情報格納部）
７  参照側端末装置（他の装置）
８  募集側端末装置（主催者端末装置）
９  閲覧契約者端末装置
１０  ユーザ側端末装置（端末装置、情報提供装置）
１１  制御部
１２  記憶部
１３  入力部
１４  表示部
１５  印刷部
１６  撮影部
１７  バス
２０  名刺
３０  履歴書
１００  プロモーションシステム（情報提供システム）
【発明を実施するための最良の形態】
【００２７】
以下、図面を参照して本発明の実施形態について説明する。
図１は、本発明を適用した実施形態に係るプロモーションシステム１００の構成を示す図である。この図１に示す構成は、主としてハードウェア構成により、或いはハードウェアとソフトウェアとの協働により実現されるものであり、その具体的形態や物理的態様については任意である。【００２８】
このプロモーションシステム１００は、カプセルスタジオ１に設置されたユーザ側端末装置１０をユーザが操作することにより、ユーザ側端末装置１０が備える撮影部１６によって静止画像を撮影し、撮影した静止画像を用いて名刺または履歴書を作成し、印刷出力する。また、ユーザ側端末装置１０においてはユーザの動画像が撮影され、この動画像を管理サーバ３がプロモーション情報ＤＢ（データベース）５に格納するとともに、外部から上記動画像にアクセスするためのアクセス用情報としてのＵＲＬ（Uniform  Resource  Locator）を生成し、このＵＲＬを示す二次元コード（ＱＲコード（登録商標）など）を生成してユーザ側端末装置１０に送信する。ユーザ側端末装置１０は、管理サーバ３から送信された二次元コードを名刺または履歴書に合わせて印刷する。また、プロモーションシステム１００によれば、企業が従業員の募集を行うなど、ユーザを募集することができる。この場合、ユーザを募集する案件が登録され、ユーザが応募の要求を行うと、応募したユーザに関する情報が集められる。
本発明の情報提供システムとしてのプロモーションシステム１００においては、ユーザ側端末装置１０が端末装置および情報提供装置として機能し、管理サーバ３がサーバ装置として機能し、ネットワーク２が通信回線として機能し、募集側端末装置８は主催者端末装置として機能する。また、ユーザ情報ＤＢ４およびプロモーション情報ＤＢ５は動画像格納部として機能し、応募情報ＤＢ６は募集情報格納部として機能する。【００２９】
図１に示すプロモーションシステム１００は、カプセルスタジオ１に設置されたユーザ側端末装置１０と、管理サーバ３とがネットワーク２を介して接続された構成を有する。
カプセルスタジオ１は、少なくとも一人のユーザが、例えば椅子に座った状態などにおいて使用可能な内部空間を有する部屋ユニットで構成される。カプセルスタジオ１は、例えば鉄道の駅構内や総合小売店舗内などの人の往来の多い場所に設置されており、内部空間に入ったユーザの姿や、ユーザの声などを外部から確認できないように遮蔽、遮音の状態におかれることが好ましく、少なくとも、カプセルスタジオ内のユーザの姿をある程度隠すことが可能なものであることが望ましい。【００３０】
ユーザ側端末装置１０は、ユーザ側端末装置１０の各部を制御する制御部１１と、制御部１１により実行される各種制御プログラムおよびデータ等を記憶した記憶部１２と、ユーザが入力操作を行うための入力部１３と、入力部１３による入力内容やユーザ側端末装置１０における処理状態等を表示する表示部１４と、名刺２０や履歴書３０を印刷出力する印刷部１５と、静止画像および動画像を撮影する撮影部１６とを備えており、これらの各部はバス１７により相互に接続されている。
表示部１４は、例えば液晶表示パネルを備えて構成され、入力部１３は、この液晶表示パネルの表示面に重ねて配設されたタッチパネルや、キーボード等を備えて構成される。なお、入力部１３は、マイクと、このマイクによって集音した音声を認識してテキスト化する音声認識装置を備えていてもよい。
また、印刷部１５は、例えば、名刺２０や履歴書３０を印刷するための専用用紙がセットされたインクジェットプリンタ、昇華型プリンタ、熱転写型プリンタ、若しくはレーザプリンタである。撮影部１６は、例えば、静止画像および動画像を撮影してデジタルデータを出力するデジタルカメラであり、動画像の撮影時には同時に音声を記録する機能を具備する。
ユーザ側端末装置１０は、図示しない通信インタフェースを介してネットワーク２に接続されており、ネットワーク２を介して、各種情報を送受信する。【００３１】
また、管理サーバ３は、ユーザ情報ＤＢ４、プロモーション情報ＤＢ５および応募情報ＤＢ６の各データベースを備えている。ユーザ情報ＤＢ４は、ユーザ側端末装置１０を使用するユーザの個人情報等を格納するデータベースであり、プロモーション情報ＤＢ５は、ユーザのプロモーション用の情報を格納するデータベースであり、応募情報ＤＢ６は、上記のようにユーザを募集する案件毎に、応募したユーザに関する情報を格納するデータベースである。図１に示すように、応募情報ＤＢ６には、募集案件毎に、募集情報としての募集案件情報６１、６２、…が格納される。【００３２】
図２は、各データベースに格納される情報の構成例を模式的に示す図であり、図２（Ａ）はユーザ情報ＤＢ４に格納される情報を示し、図２（Ｂ）はプロモーション情報ＤＢ５に格納される情報を示し、図２（Ｃ）は応募情報ＤＢ６に格納される情報を示す。
図２（Ａ）に示すように、ユーザ情報ＤＢ４には、ユーザ毎に付与される固有のユーザＩＤと、ユーザ自身の属性に係るユーザ情報（氏名、生年月日、住所、性別、連絡先電話番号等の個人情報）、ユーザの認証を行うためのパスワード等を含む認証情報、名刺２０や履歴書３０に記載される事項（学歴、職歴、勤務先住所、勤務先電話番号、電子メールアドレス等）に係る書類記載情報、および、撮影部１６により撮影された静止画像データが対応づけて格納される。
また、図２（Ｂ）に示すように、プロモーション情報ＤＢ５には、ユーザＩＤに対応づけて、撮影部１６により撮影された動画像データ、ユーザが自身のプロモーションを行うために入力したプロモーション情報、および、動画像データおよびプロモーション情報を、ネットワーク２に接続された他の装置から参照するためのＵＲＬが格納される。
さらに、図２（Ｃ）に示すように、応募情報ＤＢ６格納される募集案件情報６１には、募集案件毎に付与される募集案件ＩＤと、募集の内容としてユーザに提示される募集情報と、応募したユーザのユーザＩＤとが対応づけて格納される。この構成は、他の募集案件に対応する募集案件情報６２等においても共通である。【００３３】
管理サーバ３は、ユーザ側端末装置１０との間で各種データを送受信することにより、上述したユーザ情報ＤＢ４、プロモーション情報ＤＢ５、および応募情報ＤＢ６に対する情報の登録、検索、抽出、削除等の処理を実行する。ユーザ情報ＤＢ４に格納された情報はユーザの個人情報を含む。このため、管理サーバ３は、ユーザがユーザ側端末装置１０を操作して要求を行った場合、および、後述する応募に係る処理においてユーザからアクセスを許諾された募集側端末装置８から要求を行った場合にのみ、ユーザ情報ＤＢ４内の情報を登録、検索、抽出、削除等の処理を行う。
また、管理サーバ３は、ネットワーク２を介して接続された参照側端末装置７から、ＵＲＬを指定した要求が送信された場合に、この要求に応じて、指定されたＵＲＬに対応づけてプロモーション情報ＤＢ５に格納されたプロモーション情報および動画像データを抽出し、参照側端末装置７へ送信する。プロモーション情報ＤＢ５に格納されたプロモーション情報および動画像は公開を目的としたものであるから、管理サーバ３は、ネットワーク２を介して接続された不特定多数の装置からの要求に応じて、プロモーション情報ＤＢ５内の情報を検索、抽出し、当該装置へ送信する。
さらに、管理サーバ３は、ネットワーク２を介して接続された募集側端末装置８から、募集案件を登録する旨の要求が行われた場合に、この要求に応じて、応募情報ＤＢ６に新しい募集案件に対応する募集案件情報を登録する。この募集案件情報は、後述する募集の主催者のみがアクセスすべき情報を含むので、予め登録された募集側端末装置８から要求を行った場合にのみ、応募情報ＤＢ６内の情報に対する登録、検索、抽出、削除等の処理を行う。【００３４】
ネットワーク２は、専用線、公衆電話回線、衛星通信回線、移動体通信回線等の各種通信回線や図示しない各種サーバ装置等を含んで構成され、各種データを送受信可能な通信網であり、その具体的態様は特に限定されない。ネットワーク２と、ネットワーク２に接続される各装置との間には、通信事業者が提供するサーバやファイアーウォール、ゲートウェイ装置等の各種機器が介在する構成としても良いが、ここでは図示しない。
参照側端末装置７、募集側端末装置８および閲覧契約者端末装置９は、電話事業者が提供する公衆回線網や通信事業者が提供するデータ通信回線等、或いは、携帯電話事業者が提供する携帯電話回線網を介して、ネットワーク２に接続される端末装置であり、具体的には、パーソナルコンピュータや、データ通信機能を備えた携帯型電話機（使用する周波数帯や通信方式の制限はない）が挙げられる。【００３５】
続いて、プロモーションシステム１００の動作について説明する。図３は、プロモーションシステム１００により名刺２０または履歴書３０を作成する動作を示すフローチャートである。この図３において、（Ａ）はユーザ側端末装置１０の動作を示し、（Ｂ）は管理サーバ３の動作を示す。【００３６】
まず、ユーザがユーザ側端末装置１０の操作を開始し、ユーザ情報と、認証情報として用いるパスワード等とを入力する（ステップＳ１１）。続いて、ユーザはユーザ側端末装置１０を操作して、作成する書類を、名刺２０、履歴書３０のうちから選択する（ステップＳ１２）。ここで、ユーザ側端末装置１０により、名刺２０や履歴書３０の複数のデザインが選択可能な場合、デザインを選択することも可能である。例えば、名刺２０であれば、縦型と横型の違いや顔写真の位置、フォント、飾り線の有無や位置など、種々のデザインが想定される。また、履歴書３０についても、記載する事項の相違により複数のデザインが考えられる。これら複数のデザインに対応するテンプレートをユーザ側端末装置１０の記憶部１２に記憶しておけば、ユーザが好みのデザインを選択することができ、非常に便利である。【００３７】
続いて、ユーザ側端末装置１０の操作により、書類記載情報が入力される（ステップＳ１３）。書類記載情報は、上記のように、名刺２０や履歴書３０に記載するための情報としてユーザ情報ＤＢ４に格納されるものである。この書類記載情報の具体的な項目は、ステップＳ１２で選択した書類の種類およびデザインによって異なる。
入力が終了すると、ユーザ側端末装置１０が備える撮影部１６により、静止画像が撮影される（ステップＳ１４）。ここで撮影される静止画は、名刺２０や履歴書３０に使用することを考慮して、上半身または顔写真であることが好ましい。また、ステップＳ１４において、複数回の撮影を実行し、撮影された複数の静止画像のうちユーザが好みの静止画像を選択できるようにしてもよい。さらに、静止画像の明るさ・コントラスト・ホワイトバランス等の調整を行えるようにしてもよいし、静止画像に飾り枠や図柄を付し、或いは彩色するといった加工を施す作業を行えるようにしてもよい。
撮影終了後、再びユーザがユーザ側端末装置１０を操作して、自身のプロモーションを行うためのプロモーション情報を入力する（ステップＳ１５）。プロモーション情報は、文字や記号で表現される情報の他、ユーザが手書きしたイラスト等、或いは、ステップＳ１４で撮影された静止画像を、ユーザの操作に従って加工したものであってもよい。
また、ユーザ側端末装置１０では、プロモーション用の動画像が撮影部１６により撮影される（ステップＳ１６）。このステップＳ１６では、撮影部１６が内蔵するマイク（図示略）により集音された音声と、撮影部１６の撮像部（図示略）により撮影された動画像とを含むアピール用音声付き動画像が記録される。このステップＳ１６では、データ量の節約等の観点から、撮影時間が予め制限されている（例えば、１５秒以内）。このため、撮影中は、残り時間を表示部１４によって表示することが好ましい。また、撮影された動画像を撮影後すぐに再生し、ユーザの希望があった場合は撮影をやり直せるようにしてもよい。また、撮影した動画像の一部を切り出す等の編集を行ってもよい。【００３８】
ステップＳ１１〜Ｓ１３およびステップＳ１５で入力された情報は、記憶部１２に一時的に記憶される。また、ステップＳ１４で撮影された静止画像、および、ステップＳ１６で撮影された音声付き動画像または動画像は、所定のフォーマット（ＪＰＥＧ、ＭｏｔｉｏｎＪＰＥＧ、ＭＰＥＧ−２、ＭＰＥＧ−４等）で符号化されて、記憶部１２に一時的に記憶される。
そして、ステップＳ１１〜Ｓ１６で、情報の入力および画像の撮影が終了すると、ユーザ側端末装置１０は、入力された情報や静止画像、動画像のデータを、ネットワーク２を介して管理サーバ３に送信する（ステップＳ１７）。【００３９】
管理サーバ３は、ユーザ側端末装置１０から送信された情報を取得し（ステップＳ２１）、まず、ユーザＩＤを生成するとともに、このユーザＩＤに対応して動画像を公開するためのＵＲＬを生成する（ステップＳ２２）。ここで生成するユーザＩＤは、例えば、管理サーバ３によって連続した番号を順次ユーザＩＤとして生成してもよいし、ユーザが指定できるようにしてもよい。すなわち、ユーザ側端末装置１０の操作により、ステップＳ１１でユーザが希望するユーザＩＤを入力し、この希望のユーザＩＤが管理サーバ３に送信され、管理サーバ３においてユーザＩＤの重複等を判別して、重複がなければ希望のユーザＩＤを使用する構成としてもよい。
続いて、管理サーバ３は、ユーザＩＤに対応づけて、ユーザ側端末装置１０から送信された情報をユーザ情報ＤＢ４およびプロモーション情報ＤＢ５に格納する（ステップＳ２３）。詳細には、管理サーバ３は、ステップＳ１１で入力されたユーザ情報や認証情報、ステップＳ１３で入力された書類記載情報、静止画像のデータ等をユーザ情報ＤＢ４に格納し、ステップＳ１５で入力されたプロモーション情報とステップＳ１６で撮影された動画像とをユーザＩＤおよびＵＲＬに対応づけて、プロモーション情報ＤＢ５に格納する。【００４０】
その後、管理サーバ３は、ステップＳ２２で生成したＵＲＬを示す二次元コードの画像データを生成し（ステップＳ２４）、ユーザＩＤとともにユーザ側端末装置１０へ送信する（ステップＳ２５）。
ユーザ側端末装置１０は、管理サーバ３から送信されたユーザＩＤと二次元コードの画像データとを受信し（ステップＳ１８）、受信した二次元コードの画像データと、ステップＳ１１〜Ｓ１３で入力された情報とをもとにして、ステップＳ１２で選択された書類（名刺２０または履歴書３０）を印刷部１５によって印刷出力し（ステップＳ１９）、本処理を終了する。【００４１】
図４は、プロモーションシステム１００において作成される名刺２０の一例を示す図である。
この図４に示す名刺２０には、一般的に知られた名刺と同様に、会社名、個人の氏名、連絡先住所や電話番号等の名刺記載事項２１が記載されている。この名刺記載事項２１は、図２（Ａ）に示すようにユーザ情報ＤＢ４に格納されたユーザ情報および書類記載情報に基づいて印刷される。名刺２０の右肩には、撮影部１６により撮影された静止画像をもとにした顔写真２２が印刷されており、写真入りの名刺となっている。
さらに、名刺２０には、ＵＲＬを示す二次元コード２３が配されている。この二次元コード２３を、例えばデジタルカメラを利用したバーコード読み取り機能を備えた携帯型電話機等によって読み取ることにより、例えばＨＴＴＰにより、ＵＲＬを入力することなくプロモーション情報ＤＢ５の動画像データおよびプロモーション情報にアクセスできる。このため、二次元コード２３を使って、ネットワーク２に接続された参照側端末装置７（図１）により、名刺２０を作成したユーザに対応してプロモーション情報ＤＢ５に格納されたプロモーション情報、および、動画像データにアクセスできる。このため、名刺２０を手渡すことで、名刺２０に記載された情報を提供するだけでなく、名刺２０に記載しきれないような多くの情報を含むプロモーション情報や、動画像を提供できるという利点がある。また、名刺２０において空白となっている領域をフリースペース２４として、このフリースペースにユーザがプロモーション情報として入力した情報（イラストや画像を含む）を載せることも可能である。【００４２】
図５は、プロモーションシステム１００において作成される履歴書３０の一例を示す図である。
この図５に示す履歴書３０には、一般的に知られた履歴書と同様に、氏名、連絡先住所や電話番号、学歴、職歴等の履歴書記載事項３１が記載されている。この履歴書記載事項３１は、図２（Ａ）に示すようにユーザ情報ＤＢ４に格納されたユーザ情報および書類記載情報に基づいて印刷される。履歴書３０には、撮影部１６により撮影された静止画像をもとにした顔写真３２が印刷されて、写真貼付の履歴書と同様の外観となっている。
さらに、履歴書３０には、履歴書３０を作成したユーザに対応づけてプロモーション情報ＤＢ５に格納されたプロモーション情報および動画像にアクセスするための二次元コード３３が配されているので、履歴書３０を受け取った人がプロモーション情報および動画像に容易にアクセスできる。このため、履歴書３０を利用して、一般的な履歴書としての情報を提供するだけでなく、履歴書３０に記載しきれないような多くの情報を含むプロモーション情報や、動画像を提供できるという利点がある。【００４３】
以上のように、プロモーションシステム１００においては、ユーザ側端末装置１０においてユーザのアピール用音声付き動画像が撮影され、撮影された動画像データが管理サーバ３に送信され、管理サーバ３によってプロモーション情報ＤＢ５に格納される。プロモーション情報ＤＢ５に格納された動画像データは、参照側端末装置７によって閲覧可能となっている。これにより、ユーザは、カプセルスタジオ１において自身をアピール（プロモーション）する動画像を撮影するとともに、この動画像を、参照側端末装置７を操作する第三者に公開することが可能となる。従って、テキスト化できない形態の情報である動画像を、ネットワーク２を介して、容易にかつ効果的に、第三者へ提供できる。加えて、ユーザはカプセルスタジオ１に入ってアピール用音声付き動画像を撮影するだけでよく、特殊な機材等を用いることなく手軽に実行できるという利点がある。【００４４】
また、プロモーションシステム１００においては、ユーザ側端末装置１０の操作により入力された情報をもとに名刺２０および履歴書３０を簡単に作成することが可能であり、この名刺２０および履歴書３０には、ユーザ側端末装置１０が備える撮影部１６により撮影された静止画像を載せることができる。さらに、ユーザ側端末装置１０において入力されたプロモーション情報と、ユーザ側端末装置１０で撮影された動画像とがプロモーション情報ＤＢ５に格納され、名刺２０および履歴書３０に付された二次元コードをもとに、第三者が、プロモーション情報と動画像とを視聴することができる。
このため、名刺２０または履歴書３０を受け取った人は、参照側端末装置７を操作してプロモーション情報および動画像を視聴することで、名刺２０または名刺２０を渡したユーザに関して、極めて多くの情報を得ることができる。すなわち、テキスト化できない動画像に係る情報を、通信回線を介して、より容易に第三者へ提供できる。
また、ユーザは、名刺２０や履歴書３０に付された二次元コードにより、プロモーション情報ＤＢ５内のプロモーション情報および動画像へのアクセスを容易に誘導でき、印刷物だけでは表現できない形態、すなわちテキスト化できない形態の情報を、より簡単に多くの人に提供できる。さらに、名刺２０および履歴書３０を作成する場合、ユーザは、カプセルスタジオ１に設置されたユーザ側端末装置１０を操作して、非常に簡単な作業を行うだけでよく、高価な機材を用意する必要もないので、容易に個人レベルで効果的なプロモーションを行うことができる。【００４５】
なお、ユーザ側端末装置１０において、プロモーション情報の入力や動画像の撮影の一方、或いは両方を省略できる構成としてもよい。この場合、単に名刺２０や履歴書３０の作成のみを望むユーザもユーザ側端末装置１０を利用できる。
また、ステップＳ１９において名刺２０を印刷出力する枚数は任意であるが、例えば、ユーザ側端末装置１０および管理サーバ３に課金情報を処理する機能を持たせ、支払われた料金に応じた枚数を出力してもよいし、所定枚数までは無料として、自動的に上記所定枚数が印刷されるようにしてもよい。また、ステップＳ１９において、ステップＳ１４で撮影した静止画像、或いは、ステップＳ１６で撮影した動画像中のシーンをキャプチャした静止画像を、シール台紙等に印刷して出力できる構成としてもよい。
さらに、ユーザ側端末装置１０において、二次元コードの画像データをシール台紙に印刷して、別途作成された通常の名刺に二次元コードを貼付できるようにしてもよい。この場合、例えば会社から支給された名刺等に二次元コードを付することができるので、ユーザ側端末装置１０で作成した名刺に限らず、名刺を用いてプロモーション情報ＤＢ５内のプロモーション情報と動画像へのアクセスを誘導できる。【００４６】
さらに、プロモーションシステム１００においては、ユーザ側端末装置１０でアピール用音声付き動画像を撮影する際に、ユーザに対して質問を出力し、ユーザが質問に答える形で対話型のやりとりを行いながら、その間の動画を撮影することもできる。
図６は、プロモーションシステム１００の別の動作を示すフローチャートである。この図６において、（Ａ）はユーザ側端末装置１０の動作を示し、（Ｂ）は管理サーバ３の動作を示す。【００４７】
ユーザがユーザ側端末装置１０の操作を開始し、ユーザ情報と、認証情報として用いるパスワード等とを入力し（ステップＳ３１）、さらに、作成する書類を選択する（ステップＳ３２）。ユーザがユーザ側端末装置１０を操作して、書類記載情報を入力し（ステップＳ３３）、入力終了後に、ユーザ側端末装置１０が備える撮影部１６により、静止画像が撮影される（ステップＳ３４）。
ステップＳ３１、Ｓ３３で入力された情報は、記憶部１２に一時的に記憶される。また、ステップＳ３４で撮影された静止画像は、所定のフォーマット（ＪＰＥＧ等）で符号化されて、記憶部１２に一時的に記憶される。【００４８】
ここで、ユーザ側端末装置１０は、入力された情報および撮影した静止画像を管理サーバ３へ送信し、管理サーバ３は、送信された情報を取得し（ステップＳ５１）、ユーザＩＤを生成するとともに、このユーザＩＤに対応して動画像を公開するためのＵＲＬを生成する（ステップＳ５２）。次に管理サーバ３は、ユーザＩＤに対応づけて、ユーザ側端末装置１０から送信された情報のうち、ステップＳ３１で入力されたユーザ情報や認証情報、ステップＳ３３で入力された書類記載情報、およびステップＳ３４で撮影された静止画像のデータ等をユーザ情報ＤＢ４に格納する（ステップＳ５３）。
その後、管理サーバ３は、予め記憶していた質問情報をユーザ側端末装置１０へ送信する（ステップＳ５４）。この質問情報は、ユーザ側端末装置１０を操作するユーザに回答させるための質問に係る情報である。【００４９】
ユーザ側端末装置１０は、質問情報を受信して（ステップＳ３５）、この質問情報を記憶部１２に記憶する。続いて、ユーザ側端末装置１０は、プロモーション情報の入力に移行する。すなわち、ユーザがユーザ側端末装置１０を操作して、自身のプロモーションを行うためのプロモーション情報を入力し（ステップＳ３６）、続いて、アピール用音声付き動画像が撮影部１６によって撮影される。この撮影中、ユーザ側端末装置１０は、表示部１４によって、ステップＳ３５で記憶部１２に記憶した質問情報に基づいて、質問を表示する。ユーザは、表示部１４によって表示される質問に口頭で回答し、この質問と回答の間、撮影部１６によって音声の記録と動画撮影が行われる。なお、ユーザ側端末装置１０は、撮影部１６により撮影される画像中に出力中の質問の画像を重畳させてもよいし、或いは、図示しないスピーカから質問を出力しても良い。この場合、撮影される動画像を視聴する際に、出力中の質問を知ることができる。
ステップＳ３６で入力されたプロモーション情報は記憶部１２に一時的に記憶され、ステップＳ３７で撮影された動画像は、所定のフォーマット（ＭｏｔｉｏｎＪＰＥＧ、ＭＰＥＧ−２、ＭＰＥＧ−４等）で符号化されて、記憶部１２に一時的に記憶される。【００５０】
そして、ステップＳ３７の動画撮影が終了すると、ユーザ側端末装置１０は、プロモーション情報および動画像のデータを、ネットワーク２を介して管理サーバ３に送信する（ステップＳ３８）。
管理サーバ３は、ユーザ側端末装置１０から送信された情報を取得し（ステップＳ５５）、取得した情報をプロモーション情報ＤＢ５に格納する（ステップＳ５６）。
その後、管理サーバ３は、ステップＳ５２で生成したＵＲＬを示す二次元コードの画像データを生成してユーザ側端末装置１０へ送信する（ステップＳ５７）。
ユーザ側端末装置１０は、管理サーバ３から送信された二次元コードの画像データを受信し（ステップＳ３９）、受信した二次元コードの画像データと、ステップＳ３１、Ｓ３３で入力された情報とをもとにして、ステップＳ３２で選択された書類（名刺２０または履歴書３０）を印刷部１５によって印刷出力し（ステップＳ４０）、本処理を終了する。【００５１】
この図６に示す動作では、ユーザのアピール用音声付き動画像を撮影する際に、予め管理サーバ３が記憶していた質問が出力され、ユーザが、この質問に答える間の音声付き動画像が撮影される。このため、自己アピールが苦手なユーザも、アピール用音声付き動画像を安心して撮影することができる。これにより、カプセルスタジオ１を使用する際のユーザの抵抗感を大幅に軽減できる。また、例えば後述するように、アピール用音声付き動画像を、求人採用やオーディションに利用する場合、撮影時に求人側の企業や募集を行う主催者が望む質問を出力することで、これら企業や主催者が、最も知りたいユーザの個性の一側面を知ることができる。このため、アピール用音声付き動画像の用途に適した、より有効なアピール用音声付き動画像を撮影し、プロモーション情報ＤＢ５に格納できる。
ここで、ユーザ側端末装置１０は、管理サーバ３から送信された質問情報を受信していったん記憶部１２に記憶し、動画像の撮影時に、記憶部１２から質問情報を読み出して質問を出力するものとしたが、本発明はこれに限定されない。例えば、撮影部１６による動画像の撮影中に管理サーバ３から質問情報を受信し、受信した質問情報に含まれる質問をリアルタイムで出力してもよい。或いは、ユーザがユーザ側端末装置１０を操作する前に、予めユーザ側端末装置１０が質問情報を記憶部１２に記憶していてもよい。この場合、一定時間毎に、あるいは任意のタイミングで、管理サーバ３からユーザ側端末装置１０に対して最新の質問情報を送信し、ユーザ側端末装置１０が記憶している質問情報を更新する構成としてもよい。【００５２】
そして、プロモーションシステム１００によれば、プロモーション情報ＤＢ５に格納されたプロモーション情報と動画像とを利用して、ユーザが、例えばオーディションや人の採用等の募集に対して応募することができる。
図７は、プロモーションシステム１００における募集および応募に係る動作を示すフローチャートである。この図７において、（Ａ）はユーザ側端末装置１０の動作を示し、（Ｂ）は管理サーバ３の動作を示す。
ここで、募集とは、個人もしくは企業などの主催者が、オーディション、求人採用、販促および広告宣伝を目的としたキャンペーン等であり、プロモーションシステム１００の不特定多数のユーザに対して、応募を行うことを求める行動である。この募集に対しては、プロモーションシステム１００のユーザが応募を行うことが可能であり、募集を行った主催者は、応募したユーザの中から必要数のユーザを公式又は非公式に選出する。【００５３】
募集を行うにあたって、管理サーバ３は、募集の主催者が使用する募集側端末装置８からの要求に応じて、募集案件を応募情報ＤＢ６に登録する（ステップＳ７１）。このステップＳ７１では、図２（Ｃ）に示すように、募集案件に固有の募集案件ＩＤが付与され、この募集案件ＩＤに、募集内容、募集の主催者、募集条件等の情報が対応づけられる。ここで応募情報ＤＢ６に格納された情報は、ユーザ側端末装置１０を操作する全てのユーザが、ユーザ側端末装置１０を介して自由に閲覧できる。【００５４】
募集案件に係る情報の閲覧を希望するユーザは、ユーザ側端末装置１０を操作して自己のユーザＩＤを入力し（ステップＳ６１）、認証情報を入力する。ここで、ユーザ側端末装置１０と管理サーバ３とは相互に認証情報を送受信して認証を行う（ステップＳ６２、Ｓ７２）。
認証が成立すると、ユーザ側端末装置１０は、管理サーバ３にアクセスして募集案件の情報を応募情報ＤＢ６から取得して、例えば表示部１４に表示し、ユーザは募集案件の内容を参照する（ステップＳ６３）。
ここでユーザが応募を希望する場合、ユーザ側端末装置１０において応募の操作を行う。この応募の操作に応答して、ユーザ側端末装置１０は、ユーザＩＤとともに応募の要求をユーザ側端末装置１０に送信する（ステップＳ６４）。
管理サーバ３は、ユーザ側端末装置１０から送信されたユーザＩＤと応募の要求とを受信し（ステップＳ７３）、受信したユーザＩＤを応募情報ＤＢ６の募集案件ＩＤに追加して格納する（ステップＳ７４）。その後、管理サーバ３は、応募を受け付けたことを示す応募受付確認のメッセージをユーザ側端末装置１０へ送信し（ステップＳ７５）、ユーザ側端末装置１０は、管理サーバ３から送信された応募受付確認のメッセージを受信して表示部１４に表示し（ステップＳ６５）、本処理を終了する。【００５５】
以上の動作により、応募情報ＤＢ６には、募集案件ごとに応募したユーザのユーザＩＤが格納される（図２（Ｃ））。
この状態で、募集案件の主催者は、募集側端末装置８を使用して、応募したユーザに対応してプロモーション情報ＤＢ５に格納されたプロモーション情報を参照することができる。また、事前にユーザがユーザ側端末装置１０を操作して設定した状態に基づき、ユーザ情報ＤＢ４に格納されたユーザ情報の一部または全部を参照することも可能である。さらに、ユーザ情報ＤＢ４に格納されたユーザ情報、書類記載情報、および静止画像をもとにして、名刺２０や履歴書３０の形態にレイアウトされた情報を、募集側端末装置８から参照可能としてもよい。【００５６】
具体的な例を挙げると、人の採用を図る企業が主催者となって、募集案件を管理サーバ３に送信して登録させると、応募情報ＤＢ６には、募集案件ＩＤに対応づけて、採用条件や勤務条件等が募集情報として格納される。これに対し、ユーザ側端末装置１０を操作するユーザは、採用条件や勤務条件を見て採用を希望した場合に、応募の要求を行う。
ここで、ユーザは、応募の要求を行うだけで、人の採用を図る企業に対して、履歴書に相当する情報を提供することができ、自己アピールのためのプロモーション情報および動画像を利用することができる。このため、ユーザにとっては、非常に手軽に、求人に応募できる。また、プロモーション情報ＤＢ５に格納された動画像を撮影しなおして、求人に適した内容にすることも可能である。プロモーション情報ＤＢ５に格納されたプロモーション情報についても、自己アピールに有利な内容に変更すればよい。一方、人の採用を図る企業は、通常の採用手順で履歴書等により得られる情報に加え、プロモーション情報や動画像により、書面では得られない応募者に関する詳しい情報を得ることができるという利点があり、さらに、ユーザが簡単に応募できることから、効率よく多くの応募を集めることが期待できる。【００５７】
また、例えばオーディションを主催する場合、応募情報ＤＢ６には、募集案件ＩＤに対応づけてオーディションの募集要項等が格納される。この募集要項等を見てオーディションへの参加を希望するユーザは、ユーザ側端末装置１０を操作して応募の要求を行えばよい。この場合も、ユーザは、応募の要求を行うだけで、人の採用を図る企業に対して、履歴書等に相当する情報とともに、プロモーション情報および動画像を提供して、効果的な応募をすることができる。
さらに、例えば歌唱力やパフォーマンス能力を問われるオーディションの場合、プロモーション情報ＤＢ５に格納された動画像およびプロモーション情報を用いて、適切かつ詳細な選考を行うことが可能である。このため、従来はビデオテープやカセットテープ等を郵送するという方法でしかできなかった遠隔地からの応募および選考を、効率よく、迅速に、かつ手軽に行うことができ、応募者のユーザと主催者の双方にとって、極めて効率が良く簡単である。
このほか、人の募集だけでなく、イラスト等の静止画像や動画像で表現できるコンテンツの募集を行うことも可能であり、この場合も、コンテンツの募集・応募・選考に係る一連の手順を大幅に簡略化できる。
つまり、プロモーションシステム１００においては、撮影部１６により撮影された動画像や静止画像、および、入力部１３の操作により入力された情報をユーザ情報ＤＢ４およびプロモーション情報ＤＢ５に格納し、ユーザの許諾のもとに、これらを第三者である主催者に提供することが可能であるため、書面や電話等ではできない多量かつ多様な情報を簡単に提供できる。これにより、ユーザが特別な機材を用いなくても、時間的・空間的に離れた相手に対し、多様な情報を活用したコミュニケーションを図ることができる。【００５８】
なお、上述した募集および応募に係る動作は、ユーザが、自分が所有する携帯電話機等の端末装置をネットワーク２に接続して行うこともできる。すなわち、図３を参照して説明した動画像の撮影やユーザ情報の入力、およびこれら情報をデータベースに格納する処理は、セキュリティ面における管理効率や、環境および情報の統一性を図るため、ユーザ側端末装置１０を用いて行うことが望ましい。しかしながら、いったんユーザ側端末装置１０により情報を入力および作成したユーザが、募集案件を参照して応募を行う段階では、既に発行されたユーザＩＤを用いて認証を行った上、応募の要求を行うだけでよいので、携帯電話機等の端末装置を用いても特に不都合は生じない。【００５９】
さらに、カプセルスタジオ１においては、予め契約を締結した会員が使用する閲覧用端末装置としての閲覧契約者端末装置９により、ユーザ情報ＤＢ４およびプロモーション情報ＤＢ５に格納された情報を取得可能とすることができる。閲覧契約者端末装置９を操作する会員は、例えば、求人採用を行う企業等である。
閲覧契約者端末装置９を用いて管理サーバ３にアクセスすると、管理サーバ３は、閲覧契約者端末装置９の認証を行った後、ユーザ情報ＤＢ４に格納された各ユーザのユーザ情報、書類記載情報、および、静止画像データを閲覧契約者端末装置９によって閲覧可能とする。
ここで、閲覧契約者端末装置９を操作するユーザは、自社の採用基準または採用目的とする人材の条件に基づいて、ユーザ情報ＤＢ４内の情報を検索する。この検索の対象は、例えば、履歴書３０を作成する際に入力されたユーザ情報ＤＢ４内の書類記載情報である。そして、検索により該当するユーザに係る情報が得られた場合、閲覧契約者端末装置９を操作するユーザは、自社への採用案内（スカウト）を行うための連絡を行う。この連絡は、例えば、ユーザ情報ＤＢ４内のユーザ情報に含まれる連絡先の電話番号や電子メールアドレスに対し、閲覧契約者端末装置９を使用するユーザが別の端末装置を用いて行ってもよいし、或いは、閲覧契約者端末装置９を使用して、直接、上記電話番号や電子メールアドレスへの連絡を行えるようにしてもよい。この例としては、管理サーバ３が、上記の電話番号宛の通話発呼や上記電子メールアドレス宛の電子メールの作成および送信を仲介する態様が考えられる。また、閲覧契約者端末装置９を操作するユーザは、検索により該当するユーザに係る情報が得られた場合、さらに当該ユーザに対応づけてプロモーション情報ＤＢ５に格納されたプロモーション情報および動画像を閲覧（視聴）することも可能である。【００６０】
この場合、ユーザ情報ＤＢ４およびプロモーション情報ＤＢ５に格納された情報をもとに、求人採用を行う企業側が、自社が求める条件にマッチした人材を探しだし、企業側から個人のユーザをスカウトすることができる。これにより、企業側は、応募を待つことなく積極的な人材確保を行うことができ、さらに、事前にユーザ情報ＤＢ４に格納された情報とともにプロモーション情報ＤＢ５に格納されたプロモーション情報や動画像をもとにして、的確な選考を行うことができる。また、ユーザ側端末装置１０を使用するユーザは、自分から応募しなくても企業側の選考を受けることができる。また、スカウトの連絡が来た時点では、既に選考を経た段階であるため、採用に繋がらない面接や応募の手間を省くことができ、極めて効率よく求職活動を行える。従って、求人採用側の企業と、求職側のユーザとの双方の負担を著しく軽減し、双方にとって極めて効率の良い手法を実現できる。【００６１】
なお、上記実施形態において、ユーザ側端末装置１０および管理サーバ３が実行するユーザの認証は、パスワード等の認証情報に基づく方法に限らず、例えば、指紋、掌紋、掌静脈を利用した認証を行ってもよいし、撮影部１６によりユーザの顔を撮影して顔認識による認証を行ってもよい。或いは、ユーザ登録時に印刷部１５によってユーザＩＤ等を記載したカードを発行し、このカードに印刷されたコード等を撮影部１６によって撮影することで、ユーザＩＤの入力と認証とを同時に行うようにしてもよい。また、ユーザＩＤを含む情報を二次元コード化して、この二次元コードの画像データをユーザが使用する携帯型電話機に送信し、ユーザがユーザ側端末装置１０を利用する際に、ユーザの携帯型電話機の画面上に上記二次元コードを表示させ、撮影部１６によって読み取らせることにより、ユーザＩＤの入力と認証とを行うようにしてもよい。【００６２】
また、上記実施形態において、ユーザ側端末装置１０を操作するユーザは、名刺２０や履歴書３０を作成するための情報を入力し、この情報が書類記載情報としてユーザ情報ＤＢ４に格納されるものとして説明したが、上述したように、ユーザがユーザ側端末装置１０を操作して募集に対して応募をする場合、および、スカウトを目的としている場合には、名刺２０および履歴書３０の出力は必須ではない。この場合、ユーザはユーザ側端末装置１０を操作して、書類記載情報に該当する情報のうち、少なくとも連絡先の住所や電子メールアドレスを入力するとともに、プロモーション情報の入力とアピール用音声付き動画像の撮影を行えばよい。従って、印刷部１５は、例えば二次元コードやユーザＩＤ、或いはアピール用音声付き動画像を撮影した日時等、一部の情報のみを印刷すればよい。
この場合、印刷部１５は、例えば撮影部１６により撮影された静止画像を印刷しないので、印刷部１５として、上述したインクジェットプリンタ等に加えて、感熱紙（感熱ロール紙を含む）を用いたサーマルプリンタを用いることができる。
また、プロモーション情報の入力も必須ではなく、上記実施形態の全ての動作において、プロモーション情報の入力を省略し、アピール用音声付き動画像のみをプロモーション情報ＤＢ５に格納してもよい。【００６３】
さらに、上記実施形態においては、１台のユーザ側端末装置１０から１台の管理サーバ３に対して動画像データ等を送受信する形態を図示して説明したが、これは本発明を適用した一構成例に過ぎず、ユーザ側端末装置１０や管理サーバ３の数は任意であるし、管理サーバ３の機能を、複数のサーバ装置を用いて実現することも勿論可能である。【００６４】
また、本発明の具体的な適用対象は、上述の例に限らず、カプセルスタジオ１においてユーザのアピール用音声付き動画像を撮影し、このアピール用音声付き動画像を管理サーバ３に格納して利用するビジネスに広く適用可能である。例えば、税務、年金、労務等に係る問題を専門家に相談する専門相談に本発明を適用することが可能である。この場合、カプセルスタジオ１において、ユーザが相談したい内容を説明する音声付き動画像を撮影して、この音声付き動画像をプロモーション情報ＤＢ５に格納する。そして、税理士、社会保険労務士、司法書士、行政書士等の専門家が閲覧契約者端末装置９を操作して、相談内容を把握し、相談に応じられる場合はユーザに連絡するといった手法が考えられる。また、上記専門家の委託を受けた仲介者が閲覧契約者端末装置９を操作して、相談内容を把握し、適切な分野の専門家に紹介することも可能である。同様の手法は、弁護士、司法書士、行政書士、弁理士の業務分野に関する各種法律相談、探偵業を営む諸企業に対する調査相談、各種保険会社や金融機関に対する保健相談や資産運用相談、医療関係諸機関および企業（医師、歯科医師、薬剤師、栄養士等に関係する）に対する医療・健康相談等、専門家に対する相談全般に適用できる。また、例えば、カプセルスタジオ１において撮影されたアピール用音声付き動画像を用いて、人材のマッチングを行う方法により、上述した人材募集ビジネスに加えて、家庭教師を紹介する教育ビジネス、結婚紹介を行うビラ胃樽ビジネス等に本発明を適用できる。さらには、カプセルスタジオ１において撮影されたアピール用音声付き動画像を利用して、複数のユーザが参加するオンラインゲームを実現することも可能である。ここに列挙したものの他、本発明を適用するビジネスに関して制限はない。
さらに、上述した実施形態および変形例は本発明の一実施態様を示すものであり、本発明の範囲内で任意に変形および応用可能であることは勿論である。
【図１】
2008059563.tif 000003
【図２】
2008059563.tif 000004
【図３】
2008059563.tif 000005
【図４】
2008059563.tif 000006
【図５】
2008059563.tif 000007
【図６】
2008059563.tif 000008
【図７】
2008059563.tif 000009
【国際調査報告】
2008059563.tif 000010
2008059563.tif 000011